(57)【要約】【課題】収納ポケットに収納されている小切手が、当該収納ポケットの前端板と送り込みローラの隙間に巻き込まれないようにした小切手収納装置を提案すること。【解決手段】小切手処理装置１は前後方向に長い長方形の溝からなる収納ポケット１３を備える。収納ポケット１３の前端板３３の隣には小切手６を収納ポケット１３へ送り込むための送り込みローラ４０が配置されている。前端板３３は送り込みローラ４０の上方まで延びる延設部分３４を備えており、この下端縁には前端板３３と送り込みローラ４０との間の隙間Ｂの間に掛け渡されている巻き込み防止用リブ５４が形成されている。巻き込み防止用リブ５４は外周面部分４１ｃの接線上に位置する巻き込み防止用ガイド面方向５４ａを備える。送り込みローラ４０が小切手６を隙間Ｂに引き込もうとしても、その引き込みは巻き込み防止用ガイド面５４ａによって阻止され、側方へ寄せられる。【選択図】図３
2009040514.tif 000002
【特許請求の範囲】
【請求項１】
シート状媒体を収納するための収納ポケットと、
この収納ポケットにシート状媒体を送り込むための送り込みローラとを有し、
この送り込みローラは、少なくともその外周面部分の一部が前記収納ポケットの前端面よりも収納ポケットの内側に突出するように、当該前端面を規定している前端板と隣り合う位置に配置されており、
前記送り込みローラと前記前端板の間には隙間が形成されており、
前記前端板には、前記収納ポケットに送り込まれた後のシート状媒体が前記隙間に巻き込まれることを防止するための巻き込み防止用ガイド面が形成されており、
この巻き込み防止用ガイド面は、前記送り込みローラに対してその軸線方向の外側に外れた位置に形成されていることを特徴とするシート収納装置。
【請求項２】
請求項１に記載のシート収納装置において、
前記巻き込み防止用ガイド面は、前記送り込みローラの軸線の方向から見た場合に、前記前端面と前記送り込みローラの間に架け渡された状態となるように形成されていることを特徴とするシート収納装置。
【請求項３】
請求項２に記載のシート収納装置において、
前記巻き込み防止用ガイド面は、前記送り込みローラの軸線の方向から見た場合に、前記送り込みローラの外周面に引いた接線上に位置するように形成されていることを特徴とするシート収納装置。
【請求項４】
請求項１ないし３のうちのいずれかの項に記載のシート収納装置において、
前記巻き込み防止用ガイド面は、前記送り込みローラの軸線方向の両側に形成されていることを特徴とするシート収納装置。
【請求項５】
請求項１ないし４のうちのいずれかの項に記載のシート収納装置において、
前記送り込みローラは、その外周面から放射状に突出している送り込み用突起を備えていることを特徴とするシート収納装置。
【請求項６】
請求項５に記載のシート収納装置において、
前記送り込みローラによって送り込まれるシート状媒体を当該送り込みローラに押し付けるための押さえローラを有し、
前記送り込み用突起は、前記送り込みローラの外周面部分における中心軸線方向に離れた位置に形成されており、
前記押さえローラは、前記送り込みローラの外周面部分における前記送り込み用突起の間にシート状媒体を押し付けることを特徴とするシート収納装置。
【発明の詳細な説明】
【技術分野】
【０００１】
本発明は、小切手処理装置などの媒体処理装置に用いられるシート収納装置に関する。更に詳しくは、送り込みローラによってシート状媒体が収納ポケットに送り込まれるシート状媒体収納装置に関する。
【背景技術】
【０００２】
シート状媒体を処理するための媒体処理装置としては小切手類を処理するための小切手処理装置が知られている。小切手処理装置は、小切手類を挿入する供給部と、イメージスキャナおよび磁気ヘッドが配置された搬送路と、これらによって画像および磁気インク文字が読み取られた後に搬送路から排出される小切手類を一時保管する小切手収納部を備えている。このような小切手処理装置は、例えば、特許文献１に開示されている。
【０００３】
小切手収納部は前後方向に延びる長方形の縦溝からなる収納ポケットと、小切手類を収納ポケットに送り込むための送り込みローラと、送り込まれる小切手類を送り込みローラに押し付けるための押さえローラとを備えている。送り込みローラによって収納ポケットに送り込まれた小切手類は、収納ポケットの一方の側面の側に寄せられ、当該側面の側から収納ポケット幅方向に重ねられ立った状態のまま収納される。
【０００４】
送り込みローラは、収納ポケットの前端面を規定している前端板の隣接位置において、当該前端面から収納ポケット内にほぼ半分が突入した状態に配置されている。収納ポケットに送り込まれるシート状媒体は、収納ポケット内に突入している送り込みローラの外周面部分によって収納ポケットの前端面よりも後方に送り込まれ、収納ポケットの一方の側面に寄せられ、既に収納されているシート状媒体に重ねられた状態になる。
【特許文献１】特開２００４−２０６３６２号公報
【発明の開示】
【発明が解決しようとする課題】
【０００５】
ここで、送り込みローラにおけるシート状媒体の送り込み側とは反対側の部位と収納ポケットの前端板の間には隙間ができる。この隙間は、回転する送り込みローラと収納ポケットの前端板とが接触しないようにするためである。送り込みローラの外周面は収納ポケット内から隙間を通って収納ポケットの外側に向かう方向に回転している。したがって、収納ポケットに既に収納されているシート状媒体の端が送り込みローラの外周面部分に当たると、当該送り込みローラによって隙間に向けて送り出され、当該隙間に巻き込まれて紙詰まり状態に陥るおそれがある。
【０００６】
本発明の課題は、収納ポケットに収納されているシート状媒体が、当該収納ポケットの前端板と送り込みローラの隙間に巻き込まれないようにしたシート収納装置を提案することにある。
【課題を解決するための手段】
【０００７】
上記の課題を解決するために、本発明のシート収納装置は、
シート状媒体を収納するための収納ポケットと、
この収納ポケットにシート状媒体を送り込むための送り込みローラとを有し、
この送り込みローラは、その少なくとも外周面部分の一部が前記収納ポケットの前端面よりも収納ポケットの内側に突出するように、当該前端面を規定している前端板と隣り合う位置に配置されており、
前記送り込みローラと前記前端板の間には隙間が形成されており、
前記前端板には、前記収納ポケットに送り込まれた後のシート状媒体が前記隙間に巻き込まれることを防止するための巻き込み防止用ガイド面が形成されており、
この巻き込み防止用ガイド面は、前記送り込みローラに対してその軸線方向の外側に外れた位置に形成されていることを特徴としている。
【０００８】
本発明のシート収納装置では、収納ポケットに収納されているシート状媒体の端が送り込みローラに当たり、当該送り込みローラによって隙間に向けて送り出される場合には、当該シート状媒体の一方の端が、隙間に巻き込まれる前に巻き込み防止用ガイド面に当たる。この後は、巻き込み防止用ガイド面に案内されて、シート状媒体は隙間に巻き込まれることなく、収納ポケット内を前端面の側に向けて側方に寄せられる。送り込みローラと前端板との間は、接触しないように隙間が形成されている。
【０００９】
ここで、前記巻き込み防止用ガイド面を、前記送り込みローラの軸線の方向から見た場合に、前記前端面と前記送り込みローラの間に架け渡された状態となるように形成しておけばよい。特に、前記巻き込み防止用ガイド面を、前記送り込みローラの軸線の方向から見た場合に、前記送り込みローラの外周面に引いた接線上に位置するように形成しておくことが望ましい。このようにすれば、収納ポケットに収納されているシート状媒体の後端部分が、送り込みローラにおける隙間に向かって回転している外周面部分に当たることが回避され、シート状媒体の巻き込みが確実に防止される。
【００１０】
次に、前記巻き込み防止用ガイド面を前記送り込みローラの両側に形成しておくことが望ましい。このようにすれば、送り込みローラによって隙間に巻き込まれようとするシート状媒体の両端部分がそれぞれ巻き込み防止用ガイド面によってガイドされるので、シート状媒体が隙間に巻き込まれることを確実に防止できる。
【００１１】
一方、前記送り込みローラは、その外周面から放射状に突出している送り込み用突起を備えていることが望ましい。送り込みローラによって収納ポケット内に送り込まれたシート状媒体の後端が送り込み用突起によって送り込み位置から収納ポケット内において側方に寄せられる。この結果、次に収納ポケットに送り込まれるシート状媒体の進入路を確保することができるので、次に送り込まれるシート状媒体が先に送り込まれているシート状媒体の後端部分と衝突して紙詰まり状態に陥ることがない。
【００１２】
このような送り込み用突起を送り込みローラに形成した場合には、送り込みローラの送り込み用突起が既に収納されているシート状媒体の後端部分に係合し易くなり、シート状媒体が隙間に巻き込まれる可能性が高くなる。しかしながら、本発明では巻き込み防止用ガイド面が形成されているので、送り込み用突起が形成されている場合であってもシート状媒体の巻き込みが確実に防止される。
【００１３】
ここで、前記送り込みローラによって送り込まれるシート状媒体を当該送り込みローラに押し付けるための押さえローラを有している場合には、前記送り込み用突起を、前記送り込みローラの外周面部分における中心軸線方向に離れた位置に形成し、前記押さえローラによって、前記送り込みローラの外周面部分における前記送り込み用突起の間にシート状媒体を押し付けるようにすればよい。
【００１４】
このようにすれば、送り込み用突起が形成されている送り込みローラと、押さえローラとの間に挟まれたシート状媒体は、屈曲させられた状態で収納ポケットに送り込まれる。この結果、送り込み状態のシート状媒体に所謂「腰」ができるので、シート状媒体を確実に収納ポケット内に送り込むことができる。
【発明の効果】
【００１５】
本発明では、収納ポケットの前端板と送り込みローラとの間に形成される隙間にシート状媒体が巻き込まれることを防止するための巻き込み防止用ガイド面が形成されている。したがって、既に収納ポケットに収納されているシート状媒体が、送り込みローラと前端板との隙間に巻き込まれて破れたり、皺になったりしてしまうことを回避できる。また、隙間に引き込まれたシート状媒体が収納ポケットの前端側に停滞してしまい、次に収納ポケットに送り込まれてくるシート状媒体の進入路を塞いでしまうことがないので、シート状媒体が収納ポケットの前端側で紙詰まり状態に陥ってしまうことも回避できる。
【発明を実施するための最良の形態】
【００１６】
以下に、図面を参照して、本発明のシート状媒体収納装置を採用した小切手処理装置の実施の形態を説明する。
【００１７】
（全体構成）
図１（ａ）および（ｂ）は本実施の形態に係る小切手処理装置を示す斜視図および平面図である。小切手処理装置１は、装置本体側の本体ケース２と、本体ケース２の先端部に取り付けた垂直軸３を中心として左右に開閉可能な開閉カバー４、５とを備えている。本体ケース２と開閉カバー４、５の間には、小切手６を搬送するための小切手搬送路７が形成されている。小切手搬送路７は、上から見た場合に略Ｕ字状に湾曲して延びている細幅の垂直溝によって規定されている。小切手搬送路７の小切手搬送方向の上流端は、細幅の垂直溝からなる小切手送り出し通路８を介して広幅の垂直溝からなる小切手供給部９に繋がっている。小切手搬送路７の下流端は小切手収納部１０に繋がっている。小切手収納部１０は、小切手搬送路７の下流端に繋がっている細幅の垂直溝からなる第１および第２分岐通路１１、１２と、これらの下流端に繋がっている第１収納ポケット１３および第２収納ポケット１４とを備えている。第１および第２分岐通路１１、１２の分岐部分には、小切手搬送路７から排出される小切手６を第１または第２の収納ポケットに振り分けるための切換えレバー１５が配置されている。
【００１８】
小切手６は、図１に示すように、その表面６ａの下端部分に、その長辺方向に磁気インク文字列６Ａが印刷されている。また、表面６ａには、所定の模様の背景に、金額、振出人、番号、サインなどが記載されており、裏面６ｂには裏書き欄などが設けられている。小切手６は、上下方向を揃え、表面６ａがＵ形状の小切手搬送路７の外側を向くように、小切手供給部９に挿入される。
【００１９】
小切手搬送路７には、図１（ｂ）において点線で示すように、小切手６の表面画像を読み取るための表面側コンタクトイメージスキャナ２１、その裏面画像を読み取るための裏面側コンタクトイメージスキャナ２２、その磁気インク文字を読み取るための磁気ヘッド２３、その表面に「電子決済済み」などの印刷を行う印刷機構２４がこの順序に配置されている。
【００２０】
小切手供給部９から小切手送り出し通路８を介して送り出された小切手６は、小切手搬送路７に沿って搬送されながら、その表面画像および裏面画像が読み取られ、しかる後に、その表面６ａに印刷されている磁気インク文字列６Ａが読み取られる。これらの情報が正常に読み取られた小切手６は、「電子決済済み」などの印刷が行われた後に、第１収納ポケット１３に振り分けられて、この収納ポケットに収納される。読取不能、読取異常などが発生した小切手６については、そのような印刷が行われることなく、第２収納ポケット１４に振り分けられて、この収納ポケットに収納される。
【００２１】
（小切手収納部）
図２は小切手処理装置の小切手収納部を示した斜視図であり、図３は第１収納ポケットを前端面に沿って切断した断面図である。図２に示すように、小切手収納部１０は、第１分岐通路１１および第２分岐通路１２と、これらの下流端に繋がっている第１および第２収納ポケット１３、１４を備えている。なお、第１および第２収納ポケット１３、１４は同様の構成を備えているので、第１収納ポケット１３を説明して、対応する構成には同一の符合を付して第２収納ポケット１４の説明を省略する。
【００２２】
第１収納ポケット１３は前後方向に長い長方形をした所定深さの縦溝からなり、平行に延びている左右の第１、第２側板３１、３２、前端板３３および底板３５を備えている。第２側板３２の前端側部分には前端板３３に向かうに連れて第１側板３１から離れる方向に広がっている傾斜ガイド面３６が形成されている。この傾斜ガイド面３６の上流側は第１分岐通路１１の一方の内壁面３７に連続している。前端板３３の傾斜ガイド面３６側の隣には、小切手６を第１収納ポケット１３へ送り込むための送り込みローラ４０が配置されている。送り込みローラ４０と前端板３３の間には図３ないし図５に示す隙間Ｂが形成されている。送り込みローラ４０に対峙する第１分岐通路１１の一方の内壁面３７からは、送り込みローラ４０に小切手６を押し付けるための押さえローラ４５が突出している。第１収納ポケット１３の内部には、第２側板３２から第１側板３１に向けて後方に所定の角度で傾斜した２枚の垂直押さえ板５１、５２が配置されている。
【００２３】
図３に示すように、送り込みローラ４０は、ローラ本体４１と、このローラ本体４１と同軸状に形成されローラ本体４１よりも小径の小径部分４２を備えている。ローラ本体４１の両端部分４１ａ、４１ｂには外周面から半径方向に放射状に突出している４個の送り込み用突起４３を備えており、これら４個の送り込み用突起４３は周方向に等間隔に形成されている。小径部分４２はこれら両端部分４１ａ、４１ｂの間であって、上側の端部分４１ａの近傍に形成されている。
【００２４】
押さえローラ４５は、回転軸４６と、この回転軸４６に間隔を開けて同軸状に取り付けられている２個の押さえローラ本体４５ａ、４５ｂを備えている。これら押さえローラ本体４５ａ、４５ｂの径は同一径であり、その径は送り込みローラ４０のローラ本体４１の径よりも小さい。また、これら押さえローラ本体４５ａ、４５ｂにおけるそれぞれの外側端面間の距離は送り込みローラ４０のローラ本体４１のローラ長よりも短くなっている。２個の押さえローラ本体４５ａ、４５ｂはローラ本体４１の両端４１ａ、４１ｂの間に弾性的に押し付けられている。
【００２５】
送り込みローラ４０と押さえローラ４５とからなる送り込みローラ対は、そのニップ部Ａが前端板３３の収納ポケットの内側に向いている面（前端面）３３ａと同一平面上に位置するように配置されている。このため、ローラ本体４１の外周面部分４１ｃは前端面３３ａよりも第１収納ポケット１３の内側に突出している。
【００２６】
前端板３３の前端面３３ａには、送り込みローラ４０と前端板３３との間の隙間Ｂを部分的に閉鎖するように送り込みローラ４０に向けて突出している巻き込み防止用板５３が取り付けられている。巻き込み防止用板５３は送り込みローラ４０の小径部分４２の幅寸法と対応する幅寸法を備えており、前端面３３ａと平行に延びている。また、送り込みローラ４０の軸線方向と直交する方向に延びており、その先端５３ａはローラ本体４１の外周面部分４１ｃと小径部分４２の外周面部分４２ａとの間に達している。
【００２７】
前端板３３における送り込みローラ４０側の上端部分は、送り込みローラ４０の上方まで延びており、この延設部分３４の前端面３４ａは第１収納ポケット１３の内側に突出している凸円弧面を介して第１分岐通路１１の他方の内壁面３８に連続している。この延設部分３４の下端縁には、第１収納ポケット１３に送り込まれた後の小切手６が隙間Ｂに巻き込まれることを防止するための巻き込み防止用リブ５４が形成されている。巻き込み防止用リブ５４の収納ポケットの内側に向いている面（巻き込み防止用ガイド面）５４ａ（図５（ｂ）参照）は、送り込みローラ４０の軸線の方向から見た場合に、前端面３３ａと送り込みローラ４０の間に架け渡された状態になっており、送り込みローラ４０の外周面部分４１ｃに引いた接線上に位置するように形成されている。
【００２８】
送り込みローラ４０および押さえローラ４５によって前端側から第１収納ポケット１３に送り込まれた小切手６は、傾斜ガイド面３６によってその先端部分が第１側板３１へ向かうように案内されながら第１収納ポケット１３の内部へ進入する。また、送り込まれた小切手６は、垂直押さえ板５１、５２によって第１側板３１の側に押し付けられて、幅方向に積層された状態で収納される。
【００２９】
ここで、送り込みローラ４０の両端部分４１ａ、４１ｂには送り込み用突起４３が形成されており、押さえローラ４５は小切手６をこの両端部分４１ａ、４１ｂの間に押し付けている。従って、図３に示すように、小切手６は送り込みローラ対によって屈曲させられた状態で第１収納ポケット１３に送り込まれる。この結果、送り込み状態の小切手６に所謂「腰」ができるので、小切手６が送り込みの途中で撓んでしまうことがない。また、送り込みローラ４０は両端部分４１ａ、４１ｂの送り込み用突起４３と送り込んだ小切手６の後端とを係合させて、その後端位置をニップ部Ａの前方から側方へ移動させる。この結果、次に第１収納ポケット１３に送り込まれる小切手６の進入路を確保することができるので、送り込まれる小切手６がジャミング状態に陥ることがない。
【００３０】
なお、本例の小切手収納部１０では、第１および第２収納ポケット１３、１４の後端部分が、後方に引き出し可能な引き出し部１９によって規定されている。この引き出し部１９を図１に示す状態から後方に引き出すと、各収納ポケット１３、１４が前後方向に延びる。これにより、長い寸法の小切手６を受け入れて収納することができる。
【００３１】
（巻き込み防止用板の機能）
図４を参照して巻き込み防止用板５３の機能を説明する。図４は第１収納ポケットの先端側部分を模式的に示した平面図である。図４（ａ）は前端板３３に巻き込み防止用板５３が取り付けられていない場合であり、図４（ｂ）は前端板３３に巻き込み防止用板５３が取り付けられている場合を示している。
【００３２】
図４は第１収納ポケット１３に送り込まれた小切手６が、送り込みローラ４０の近傍で停滞している状態を示している。小切手６の後端部分６ｃは、送り込みローラ４０のローラ本体４１の外周面部分４１ｃのうち、回転軸４０ａを挟んでニップ部Ａと反対側の部位に近い位置にある。
【００３３】
この状態で、次の小切手６を第１収納ポケット１３に送り込むために送り込みローラ４０が回転すると、送り込みローラ４０の送り込み用突起４３と後端部分６ｃとが係合して、この小切手６を前端側に引き戻す。或いは、ローラ本体４１における外周面部分４１ｃのニップ部Ａと反対側の部位と後端部分６ｃとが摺接して、この小切手６を前端側に引き戻す。従って、巻き込み防止用板５３が取り付けられていない場合には、図４（ａ）に示すように、前端板３３と送り込みローラ４０との隙間Ｂに小切手６の後端部分６ｃが引き込まれてしまう。こうなると、既に収納されている小切手６の隙間Ｂに引き込まれた部分が破れたり、皺になったりしてしまう。また、隙間Ｂに引き込まれた小切手６が第１収納ポケット１３の前端側に停滞してしまうので、次に収納ポケットに送り込まれてくる小切手６の進入路を塞いでしまい、小切手６が第１収納ポケット１３の前端側でジャミング状態に陥ってしまう。
【００３４】
一方、巻き込み防止用板５３が取り付けられている場合には、図４（ｂ）に示すように、送り込み用突起４３或いはローラ本体４１の外周面部分４１ｃによって小切手６が前端側に引き戻されたとしても、その後端が巻き込み防止用板５３に衝突する。
【００３５】
この結果、既に収納されている小切手６が隙間Ｂに引き込まれることがないので、小切手６が破れたり、皺になったりすることを回避できる。また、小切手６が隙間Ｂに引き込まれて収納ポケットに前端側に停滞することがないので、次に収納ポケットに送り込まれてくる小切手６の進入路が確保されている。従って、小切手６が収納ポケットの前端側でジャミング状態に陥ってしまうことを回避できる。
【００３６】
また、巻き込み防止用板５３はローラ本体４１の外周面部分４１ｃと小径部分４２の外周面部分４２ａとの間まで延びているので、その先端５３ａはローラ本体４１の外周面部分４１ｃよりも半径方向の内側に位置している。従って、ローラ本体４１の外周面部分４１ｃと摺接することによって隙間Ｂに引き込まれようとしているシート状媒体が、巻き込み防止用板５３とローラ本体４１の外周面部分４１ｃとの間をすり抜けて隙間Ｂに引き込まれてしまうことがない。
【００３７】
（巻き込み防止用リブの機能）
次に図５を参照して巻き込み防止用リブ５４の機能を説明する。図５はそれぞれ第１収納ポケット１３の先端側部分を模式的に示した平面図であり、図５（ａ）は巻き込み防止用リブ５４が形成されていない場合であり、図５（ｂ）は巻き込み防止用リブ５４が形成されている場合である。
【００３８】
図５は第１収納ポケット１３に送り込まれた小切手６が、送り込みローラ４０の近傍で停滞している状態を示している。小切手６の後端部分６ｃは、送り込みローラ４０のローラ本体４１の外周面部分４１ｃのうち、回転軸４０ａを挟んでニップ部Ａと反対側の部位に近い位置にある。
【００３９】
この状態で、次の小切手６を第１収納ポケット１３に送り込むために送り込みローラ４０が回転すると、送り込みローラ４０の送り込み用突起４３と後端部分６ｃとが係合して、この小切手６を前端側に引き戻す。或いは、ローラ本体４１における外周面部分４１ｃのニップ部Ａと反対側の部位と後端部分６ｃとが摺接して、この小切手６を前端側に引き戻す。従って、巻き込み防止用リブ５４が取り付けられていない場合には、図５（ａ）に示すように、前端板３３と送り込みローラ４０との隙間Ｂに小切手６の後端部分６ｃが引き込まれてしまう。こうなると、既に収納されている小切手６の隙間Ｂに引き込まれた部分が破れたり、皺になったりしてしまう。また、隙間Ｂに引き込まれた小切手６が第１収納ポケット１３の前端側に停滞してしまうので、次に収納ポケットに送り込まれてくる小切手６の進入路を塞いでしまい、小切手６が第１収納ポケット１３の前端側でジャミング状態に陥ってしまう。
【００４０】
一方、巻き込み防止用リブ５４が取り付けられている場合には、図５（ｂ）に示すように、小切手６が送り込み用突起４３によって前端側に引き戻されたとしても、その後端部分６ｃは送り込み用突起４３の直上にある巻き込み防止用リブ５４に衝突する。この後は、巻き込み防止用ガイド面５４ａに案内されて、小切手６は隙間Ｂに巻き込まれることなく、第１収納ポケット１３内を前端板３３の側に向けて側方に寄せられる。
【００４１】
この結果、小切手６が隙間Ｂに引き込まれて第１収納ポケット１３の前端側に停滞することがないので、次に第１収納ポケット１３に送り込まれてくる小切手６の進入路が確保されている。従って、小切手６が収納ポケットの前端側でジャミング状態に陥ってしまうことを回避できる。
【００４２】
また、巻き込み防止用ガイド面５４ａは、送り込みローラ４０の軸線の方向から見た場合に、送り込みローラ４０の外周面部分４１に引いた接線上に位置するように形成されているので、第１収納ポケットに収納されている小切手６後端部分６ｃが、送り込みローラ４０における隙間Ｂに向かって回転している外周面部分４１に当たることが回避され、小切手６の巻き込みが確実に防止される。
【００４３】
また、上側の端部分４１ａに形成されている送り込み用突起４３が小切手６の後端部分６ｃと係合して小切手６ｃを前端板３３の側に引き戻そうとしても、その係合は巻き込み防止用ガイド面５４ａによって直ぐに解かれる。
【００４４】
以上、本例によれば、巻き込み防止用リブ５４が前端板３３と送り込みローラ４０の隙間Ｂの間に架け渡されているので、小切手６がこの隙間Ｂに引き込まれてしまうことがない。
【００４５】
また、巻き込み防止用ガイド面５４ａは、送り込みローラ４０の外周面部分４１に引いた接線上に位置するように形成されているので、既に収納されている小切手６の後端部分６ｃと送り込みローラ４０の外周面部分４１ｃとが摺接することを回避できる。さらに、上側の端部分４１ａに形成されている送り込み用突起４３が小切手６の後端部分６ｃと係合して小切手６ｃを前端板３３の側に引き戻そうとしても、巻き込み防止用ガイド面５４ａによってその係合を直ぐに解くことができる。
【００４６】
また、巻き込み防止用リブ５４は、送り込みローラ４０の上側の端部分４１ａの直上に形成されている前端板３３の延設部分３４の一部として形成されているので、送り込み用突起４３の近くに位置している。従って、送り込み用突起４３が小切手６の後端部分６ｃと係合して小切手６ｃを前端板３３の側に引き戻そうとしても、その係合は解かれ易い。
【００４７】
（その他の実施の形態）
上記の例では、巻き込み防止用リブ５４は送り込みローラ４０の上側の端部分４１ａの外側に形成されていたが、送り込みローラ４０の下側の端部分４１ｂの外側に形成することもできる。また、両方の端部分４１ａ、４１ｂの外側に形成することもできる。
【００４８】
また、本発明は、小切手や手形、請求書などの小切手類以外のシート状媒体を処理するための媒体処理装置の収納装置として用いることができる。例えば、プリンタ、スキャナなどの媒体処理装置に搭載されるシート状媒体の収納装置として用いることができる。
【図面の簡単な説明】
【００４９】
【図１】本発明を適用した小切手処理装置の斜視図および平面図である。
【図２】小切手処理装置の小切手収納部を示す斜視図である。
【図３】第１収納ポケットを前端面に沿って切断した断面図である。
【図４】巻き込み防止用突起の機能を説明するための説明図である。
【図５】巻き込み防止用リブの機能を説明するための説明図である。
【符号の説明】
【００５０】
１  小切手処理装置、２  本体ケース、３  垂直軸、４，５  開閉カバー、６  小切手、７  小切手搬送路、８  小切手送り出し通路、９  小切手供給部、１０  小切手収納部、１１  第１分岐通路、１２  第２分岐通路、１３  第１収納ポケット、１４  第２収納ポケット、１５  切換レバー、１９  引き出し部、２１  表面側コンタクトイメージスキャナ、２２  裏面側コンタクトイメージスキャナ、２３  磁気ヘッド、２４  印刷機構、３１，３２  側板、３３  前端板、３４  延設部分  ３５  底面、３６  傾斜ガイド面、３７，３８  分岐通路の内壁面、４０  送り込みローラ、４１  ローラ本体、４２  小径部分、４３  突起、４５  押さえローラ、４６  回転軸、５１，５２  垂直押さえ板、５３  巻き込み防止用板、５４  巻き込み防止用リブ、５４ａ  巻き込み防止用ガイド面、Ａ  ニップ部、Ｂ  隙間
【図１】
2009040514.tif 000003
【図２】
2009040514.tif 000004
【図３】
2009040514.tif 000005
【図４】
2009040514.tif 000006
【図５】
2009040514.tif 000007